(57)【要約】【課題】被検眼による複数の視標像の同時視認と、精度のよい検眼と、を実現可能な検眼装置を提供する。【解決手段】被検眼の瞳孔と共役な位置に設けられた光束分割部材であって、視標光束が透過する複数の第１光学特性領域と複数の第２光学特性領域とを有し、視標光束を、複数の第１光学特性領域をそれぞれ透過した第１光束群と、複数の第２光学特性領域をそれぞれ透過した第２光束群とを含む一対の光束群であって且つ乱視軸角度が異なる一対の光束群に分割する光束分割部材と、光束分割部材により分割された一対の光束群にそれぞれ対応する一対の視標像を、互いに分離した状態で被検眼に投影する第１投影光学系と、を備える。【選択図】図８
2019055144.tif 000002
【特許請求の範囲】
【請求項１】
被検眼の瞳孔と共役な位置に設けられた光束分割部材であって、視標光束が透過する複数の第１光学特性領域と複数の第２光学特性領域とを有し、前記視標光束を、前記複数の第１光学特性領域をそれぞれ透過した第１光束群と、前記複数の第２光学特性領域をそれぞれ透過した第２光束群とを含む一対の光束群であって且つ乱視軸角度が異なる一対の光束群に分割する光束分割部材と、
前記光束分割部材により分割された前記一対の光束群にそれぞれ対応する一対の視標像を、互いに分離した状態で前記被検眼に投影する第１投影光学系と、
を備える検眼装置。
【請求項２】
前記複数の第１光学特性領域が互いに分離し、且つ前記複数の第２光学特性領域が互いに分離しており、
前記第１光束群の各光束が互いに分離し、且つ前記第２光束群の各光束が互いに分離している請求項１に記載の検眼装置。
【請求項３】
前記光束分割部材には、前記視標光束の光軸に対して垂直な面内において、前記複数の第１光学特性領域と前記複数の第２光学特性領域とがそれぞれ均等に配置されている請求項１又は２に記載の検眼装置。
【請求項４】
前記光束分割部材は、前記複数の第１光学特性領域にそれぞれ対応する複数の第１クロスシリンダレンズと、前記複数の第２光学特性領域にそれぞれ対応する複数の第２クロスシリンダレンズと、前記複数の第１クロスシリンダレンズ及び前記複数の第２クロスシリンダレンズの各々に対応して設けられた複数のプリズムと、を含む請求項１から３のいずれか１項に記載の検眼装置。
【請求項５】
前記光束分割部材は、前記視標光束が入射する入射面と、前記一対の光束群を出射する出射面とを有しており、
前記入射面及び前記出射面のいずれか一方の面に、前記第１クロスシリンダレンズと前記プリズムとの第１複合光学系が複数形成され、且つ前記第２クロスシリンダレンズと前記プリズムとの第２複合光学系が複数形成されている請求項４に記載の検眼装置。
【請求項６】
前記一対の視標像の各々の識別に用いられる識別情報を、前記第１投影光学系により前記被検眼に投影される前記一対の視標像にそれぞれ対応する投影位置に投影する第２投影光学系を備える請求項１から５のいずれか１項に記載の検眼装置。
【請求項７】
前記光束分割部材は、前記複数の第１光学特性領域と前記複数の第２光学特性領域とを複数組有し、前記視標光束を、複数組の前記一対の光束群に分割し、
前記第１光学特性領域は複数組ごとに互いに光学特性が異なり、且つ前記第２光学特性領域は複数組ごとに互いに光学特性が異なり、
前記第１投影光学系は、複数組の前記一対の光束群にそれぞれ対応する複数組の前記一対の視標像を、互いに分離した状態で前記被検眼に投影する請求項１から６のいずれか１項に記載の検眼装置。
【発明の詳細な説明】
【技術分野】
【０００１】
本発明は、被検眼の乱視の検査に用いられる検眼装置に関する。
【背景技術】
【０００２】
従来、被検眼の眼屈折力等の視機能は、自覚検査又は他覚検査により測定、或いは両検査を併用して測定される。自覚検査は、ランドルト環等の各種視標に対する被検者の応答に基づき眼屈折力を測定するものである。一方、他覚検査は、被検者に応答させることなく機械的に眼屈折力を測定するものである。自覚検査は測定に時間を要するのに対し、他覚検査は短時間で測定が可能であるが、他覚検査の結果は必ずしも自覚検査の結果とは一致しない。従って、他覚検査の結果に基づき自覚検査が行われることが多い。
【０００３】
眼屈折力の検査の中で乱視を検査するための自覚検査では、主にクロスシリンダ［Cross‐Cylinder］（以下、ＣＣと称す）テストによる検査が行われる。ＣＣテストは、被検眼の乱視の有無（乱視量）及び乱視軸角度を測定するものであり、被検眼に点群等の視標を呈示した状態で、ＣＣレンズ（乱視レンズ）を交互に反転させた際に視認される像の比較により検査する（特許文献１から特許文献３参照）。
【先行技術文献】
【特許文献】
【０００４】
【特許文献１】特開２００４−１８０９５５号公報
【特許文献２】特開平４−２００４３４号公報
【特許文献３】実公昭５２−３４８７２号公報
【発明の概要】
【発明が解決しようとする課題】
【０００５】
ところで、上記特許文献１から特許文献３に開示されているＣＣテストでは、ＣＣレンズを交互に反転させ、乱視軸角度が９０°異なるレンズを介した２つの視標像を交互に被検眼に呈示するため、被検者は２つの視標像を同時に比較することができないため、混乱を招く場合もある。従って、上記のＣＣテストでは、検査に時間を要し、且つ検者及び被検者の負担が増加していた。
【０００６】
そこで、２つの視標像を被検眼に同時に投影することにより、被検眼にて異なる２つの視標像を同時に視認可能にすることが考えられる。この場合、被検眼の瞳孔を２つの領域に分割して、各々の領域に乱視軸角度の異なるレンズを介した光束を透過させる必要がある。しかしながら、仮に被検眼の瞳孔の一部に特異な収差（屈折特性）を有する特異エリアが存在し、この特異エリアが前述の２つの領域の一方の領域にのみに存在する場合、このうち一方だけが特異エリアの影響を受ける。このため、精度のよい検眼を行うことができない。
【０００７】
本発明はこのような事情に鑑みてなされたものであり、被検眼による複数の視標像の同時視認と、精度のよい検眼と、を実現可能な検眼装置を提供することを目的とする。
【課題を解決するための手段】
【０００８】
本発明の目的を達成するための検眼装置は、被検眼の瞳孔と共役な位置に設けられた光束分割部材であって、視標光束が透過する複数の第１光学特性領域と複数の第２光学特性領域とを有し、視標光束を、複数の第１光学特性領域をそれぞれ透過した第１光束群と、複数の第２光学特性領域をそれぞれ透過した第２光束群とを含む一対の光束群であって且つ乱視軸角度が異なる一対の光束群に分割する光束分割部材と、光束分割部材により分割された一対の光束群にそれぞれ対応する一対の視標像を、互いに分離した状態で被検眼に投影する第１投影光学系と、を備える。
【０００９】
この検眼装置によれば、光束分割部材が被検眼の瞳孔と共役な位置に設けられ且つ被検眼の瞳孔の一部に特異エリアが発生している場合であっても、第１光束群及び第２光束群の双方がほぼ同様に特異エリアの影響を受けることになり、一方の光束のみがこの特異エリアの影響を受けることが防止される。
【００１０】
本発明の他の態様に係る検眼装置において、複数の第１光学特性領域が互いに分離し、且つ複数の第２光学特性領域が互いに分離しており、第１光束群の各光束が互いに分離し、且つ第２光束群の各光束が互いに分離している。上述の検眼装置と同様に一方の光束のみがこの特異エリアの影響を受けることが防止される。
【００１１】
本発明の他の態様に係る検眼装置において、光束分割部材には、視標光束の光軸に対して垂直な面内において、複数の第１光学特性領域と複数の第２光学特性領域とがそれぞれ均等に配置されている。これにより、被検眼の瞳孔の一部に特異エリアが発生している場合であっても、第１光束群及び第２光束群のいずれか一方だけが特異エリアの影響を受けることが防止される。
【００１２】
本発明の他の態様に係る検眼装置において、光束分割部材は、複数の第１光学特性領域にそれぞれ対応する複数の第１クロスシリンダレンズと、複数の第２光学特性領域にそれぞれ対応する複数の第２クロスシリンダレンズと、複数の第１クロスシリンダレンズ及び複数の第２クロスシリンダレンズの各々に対応して設けられた複数のプリズムと、を含む。これにより、光束分割部材が被検眼の瞳孔と共役な位置に設けられ且つ被検眼の瞳孔の一部に特異エリアが発生している場合であっても、第１光束群及び第２光束群のいずれか一方だけが特異エリアの影響を受けることが防止される。
【００１３】
本発明の他の態様に係る検眼装置において、光束分割部材は、視標光束が入射する入射面と、一対の光束群を出射する出射面とを有しており、入射面及び出射面のいずれか一方の面に、第１クロスシリンダレンズとプリズムとの第１複合光学系が複数形成され、且つ第２クロスシリンダレンズとプリズムとの第２複合光学系が複数形成されている。これにより、光束分割部材が被検眼の瞳孔と共役な位置に設けられ且つ被検眼の瞳孔の一部に特異エリアが発生している場合であっても、第１光束群及び第２光束群のいずれか一方だけが特異エリアの影響を受けることが防止される。
【００１４】
本発明の他の態様に係る検眼装置において、一対の視標像の各々の識別に用いられる識別情報を、第１投影光学系により被検眼に投影される一対の視標像にそれぞれ対応する投影位置に投影する第２投影光学系を備える。これにより、被検者が一対の視標像をそれぞれ識別することができる。
【００１５】
本発明の他の態様に係る検眼装置において、光束分割部材は、複数の第１光学特性領域と複数の第２光学特性領域とを複数組有し、視標光束を、複数組の一対の光束群に分割し、第１光学特性領域は複数組ごとに互いに光学特性が異なり、且つ第２光学特性領域は複数組ごとに互いに光学特性が異なり、第１投影光学系は、複数組の一対の光束群にそれぞれ対応する複数組の一対の視標像を、互いに分離した状態で被検眼に投影する。これにより、乱視度数が異なる複数種類の光束分割部材を視標光束の光路上に選択的に挿入する切替機構を設ける必要がなくなるので、検眼装置の構成が簡略化される。その結果、検眼装置の低コスト化、小型化、及び軽量化等が図れる。
【発明の効果】
【００１６】
本発明の検眼装置は、被検眼による複数の視標像の同時視認と、精度のよい検眼と、を実現する。
【図面の簡単な説明】
【００１７】
【図１】検眼装置の外観斜視図である
【図２】測定及び検眼光学系の概略図である。
【図３】比較例１のプリズム付きＣＣレンズの構成及び作用を説明するための説明図である。
【図４】比較例１のＣＣレンズの概略図である。
【図５】比較例２のプリズム付きＣＣレンズの構成及び作用を説明するための説明図である。
【図６】比較例２のプリズム付きＣＣレンズの課題を説明するための説明図である。
【図７】プリズム付きＣＣレンズをＣＣレンズ側から見た正面図である。
【図８】プリズム付きＣＣレンズの断面図である。
【図９】プリズム付きＣＣレンズにより分割された一対の光束群が入射する被検眼の瞳孔の正面図である。
【図１０】ＣＣ視標光投影光学系による被検眼への一対のＣＣ視標像の投影に合わせて、視標光投影光学系により被検眼へ投影される固視マークを説明するための説明図である。
【図１１】被検眼に同時に投影される一対のＣＣ視標像と固視マークとの一例を説明するための説明図である。
【図１２】制御部による被検眼に対する固視マークの投影位置の変化制御を説明するための説明図である。
【図１３】検眼装置によるＣＣテストの流れを示したフローチャートである。
【図１４】符号ＸＩＶＡは、第１複合光学系を有する第１レンズの断面図であり、符号ＸＩＶＢは、第２複合光学系を有する第２レンズの断面図である。
【図１５】比較例３のプリズム付きＣＣレンズの断面図である。
【図１６】第１複合光学系及び第２複合光学系を有する他実施形態１のプリズム付きＣＣレンズの製法を説明するための説明図である。
【図１７】他実施形態２のプリズム付きＣＣレンズをそのＣＣレンズ側から見た正面図である。
【図１８】２組の第１ＣＣレンズ及び第２ＣＣレンズの光学特性を説明するための説明図である。
【図１９】他実施形態２のプリズム付きＣＣレンズにより分割された２組の一対の光束群が入射する被検眼Ｅの瞳孔の正面図である。
【図２０】他実施形態２のプリズム付きＣＣレンズにより被検眼Ｅに投影されるＣＣ視標像を説明するための説明図である。
【発明を実施するための形態】
【００１８】
［検眼装置の構成］
図１は、検眼装置１００の外観斜視図である。検眼装置１００は、被検眼Ｅ（図２参照）の他覚による眼屈折特性の測定と、装置内部に設けられた複数の視標に基づく各種自覚検査（視力検査、レッドグリーンテスト、及びＣＣテスト等）とに用いられる検眼装置であり、本実施形態では特に自覚検査におけるＣＣテストに係る機能について説明する。また以下では、被検者から見て、左右方向をＸ方向とし、上下方向をＹ方向とし、検眼装置１００の奥行き方向（前後方向）をＺ方向として説明する。
【００１９】
図１に示すように、検眼テーブル１０１上には支柱１０２Ａが立設されている。この支柱１０２Ａの上端部には、アーム１０２Ｂの基端部が保持されている。そして、アーム１０２Ｂの先端部には、検眼装置１００が吊り下げられた状態で保持されている。なお、支柱１０２Ａは、上下方向に伸縮自在で且つその軸周り方向に回転自在である。このため、検眼装置１００の上下方向の位置、及び支柱１０２Ａを中心とした軸周り方向の位置を任意に調整することができる。
【００２０】
検眼装置１００は、被検者の被検眼Ｅ（図２参照）の右眼に対応する右眼用検眼ユニット１００Ｒと、被検眼Ｅの左眼に対応する左眼用検眼ユニット１００Ｌと、を備える。右眼用検眼ユニット１００Ｒには検眼窓１０３Ｒが形成され、左眼用検眼ユニット１００Ｌには検眼窓１０３Ｌが形成されている。そして、右眼用検眼ユニット１００Ｒ及び左眼用検眼ユニット１００Ｌには、それぞれ被検眼Ｅの他覚測定及び自覚検眼を行う測定及び検眼光学系１（図２参照）が設けられている。この測定及び検眼光学系１には、各種検眼視標が含まれている。
【００２１】
また、図示は省略するが、検眼装置１００の内部（右眼用検眼ユニット１００Ｒ及び左眼用検眼ユニット１００Ｌを保持している部分など）、或いは右眼用検眼ユニット１００Ｒ及び左眼用検眼ユニット１００Ｌには、各々をＸＹＺ方向にそれぞれ移動及び被検眼Ｅの近傍を中心に回旋させる不図示のアライメント機構（例えば特開２０１７−９３９７７号公報参照）が設けられている。
【００２２】
検眼テーブル１０１の下方には、測定及び検眼光学系１（図２参照）の各部を統括制御する制御部５７が格納されている。この制御部５７には、タブレット端末或いは操作レバー等のコントローラ１０４が有線接続又は無線接続されている。制御部５７は、コントローラ１０４に入力された操作指示に従って、測定及び検眼光学系１の各部の駆動を制御する。
【００２３】
［測定及び検眼光学系の構成］
図２は、右眼用検眼ユニット１００Ｒ及び左眼用検眼ユニット１００Ｌにそれぞれ設けられている測定及び検眼光学系１の概略図である。なお、右眼用検眼ユニット１００Ｒ及び左眼用検眼ユニット１００Ｌの双方の測定及び検眼光学系１は基本的に同じ構成であるので、ここでは一方の測定及び検眼光学系１を例に挙げて説明を行う。また、以下の説明において、被検眼Ｅとは右眼及び左眼の両方を指すものとする。
【００２４】
測定及び検眼光学系１は、前眼部観察光学系２と、パターン光束投影光学系３と、受光光学系４と、ＸＹアライメント光学系５と、視標光投影光学系６と、ＣＣ視標光投影光学系７と、を有している。また、測定及び検眼光学系１は、被検眼Ｅの前眼部を照明光（例えば波長９５０ｎｍの赤外光）で照明する発光ダイオード（Light Emitting Diode）であるＬＥＤ１０を備える。
【００２５】
前眼部観察光学系２は、被検眼Ｅの前眼部の観察等に用いられる光学系であり、この前眼部を撮影する。前眼部観察光学系２は主光軸Ｏ１を有している。この前眼部観察光学系２では、主光軸Ｏ１上に沿って被検眼Ｅ側から順に対物レンズ８、ダイクロイックミラー９、ハーフミラー１１、リレーレンズ１２，１３、ダイクロイックミラー１４、結像レンズ１５、及び撮像素子１６が配置されている。なお、前眼部観察光学系２を構成する各部については公知技術であるので、その詳細についての説明は省略する。
【００２６】
ＬＥＤ１０から出射された照明光は、被検眼Ｅの前眼部を照明し、前眼部で反射される。この反射光は、前眼部観察光学系２に入射し、この前眼部観察光学系２の各部を経て撮像素子１６の撮像面に入射する。これにより、被検眼Ｅの前眼部の観察像が撮像素子１６により撮像される。
【００２７】
なお、前眼部観察光学系２のダイクロイックミラー９及びダイクロイックミラー１４は、例えば前眼部観察光学系２及び後述のＸＹアライメント光学系５等で使用される波長９５０ｎｍの赤外光のみを透過し、可視光及び例えば後述のパターン光束投影光学系３で使用される波長８５０ｎｍの近赤外光を反射する光学特性を有している。
【００２８】
パターン光束投影光学系３は、被検眼Ｅの他覚的な眼屈折力の測定に用いられるリング状のパターン光束を、被検眼Ｅの眼底に投影する。パターン光束投影光学系３は光軸Ｏ２を有している。このパターン光束投影光学系３では、光軸Ｏ２上に沿って被検眼Ｅに遠い側から近い側に向かって、ＬＥＤ１７、コリメータレンズ１８、円錐プリズム１９、リング指標板２１、結像レンズ２２、瞳絞り２３、フィールドレンズ２４、穴あき三角プリズム２５、回転可能なロータリプリズム２６、ダイクロイックミラー２７、ダイクロイックミラー９、及び対物レンズ８が配置されている。
【００２９】
光軸Ｏ２は、穴あき三角プリズム２５、ダイクロイックミラー２７、及びダイクロイックミラー９により順次偏向されることで、主光軸Ｏ１と合致する。
【００３０】
ＬＥＤ１７は、近赤外光（例えば波長８５０ｎｍ）を出射する。ＬＥＤ１７、コリメータレンズ１８、円錐プリズム１９、及びリング指標板２１は、不図示の駆動機構によって、光軸Ｏ２に沿って一体的に進退駆動される。また、瞳絞り２３の一面には、ＬＥＤ１７から入射する光束を透過させるリング状の透過部が形成されている。この透過部は、被検眼Ｅの瞳孔と共役（略共役を含む）な位置に形成されている。ＬＥＤ１７からの測定光はリング状の光束となって被検眼Ｅの瞳孔を透過し、眼底上にリング指標板２１の像が投影される。このリング状の像は、被検眼Ｅの眼屈折力によりその形状を歪められた状態で被検眼Ｅの眼底に投影される。
【００３１】
ダイクロイックミラー２７は、後述の視標光投影光学系６及びＣＣ視標光投影光学系７で使用される可視光を透過し、パターン光束投影光学系３で使用される近赤外光を反射する光学特性を有している。
【００３２】
なお、パターン光束投影光学系３を構成する他の各部については、公知技術であるので、その詳細についての説明は省略する。
【００３３】
受光光学系４は、光軸Ｏ３を有しており、被検眼Ｅの眼底で反射された既述のリング状の投影像を撮像する。この受光光学系４では、光軸Ｏ３上に沿って、被検眼Ｅ側から順に対物レンズ８、ダイクロイックミラー９、ダイクロイックミラー２７、ロータリプリズム２６、穴あき三角プリズム２５の穴部２５ａ、フィールドレンズ２８、ミラー２９、リレーレンズ３１、合焦レンズ３２、ミラー３３、ダイクロイックミラー１４、結像レンズ１５、及び撮像素子１６が配置されている。
【００３４】
光軸Ｏ３の一端側は、ミラー２９、ダイクロイックミラー２７、ダイクロイックミラー９により順次偏向されることにより、主光軸Ｏ１と合致する。また、光軸Ｏ３の他端側についても、ミラー３３及びダイクロイックミラー１４により順次偏向されることにより、主光軸Ｏ１と合致する。
【００３５】
穴あき三角プリズム２５の底面、すなわち穴部２５ａの下端には絞り（不図示）が配置されている。この絞りは被検眼Ｅの瞳孔と共役（略共役を含む）な位置に配置されている。また、合焦レンズ３２は、不図示の駆動機構により、光軸Ｏ３に沿って進退駆動される。この際に、この合焦レンズ３２と共に、既述のパターン光束投影光学系３のＬＥＤ１７、コリメータレンズ１８、円錐プリズム１９、及びリング指標板２１を一体に移動する構造を採用してもよい。
【００３６】
なお、受光光学系４を構成する他の各部については、公知技術であるので、その詳細についての説明は省略する。また、眼屈折力の測定に用いる光学系はこれに限らず、公知の眼屈折力測定光学系を用いることも可能である。
【００３７】
ＸＹアライメント光学系５は、被検眼Ｅに向けてアライメント指標光束を投影する。このアライメント指標光束は、被検眼Ｅに対する測定及び検眼光学系１のアライメント状態として、主光軸Ｏ１と垂直な２方向（Ｘ方向及びＹ方向）のアライメント状態の検出に用いられる。ＸＹアライメント光学系５は、ＬＥＤ３４、リレーレンズ３５、及びハーフミラー１１を有している。
【００３８】
なお、ＸＹアライメント光学系５を構成する各部については公知技術であるので、その詳細についての説明は省略する。
【００３９】
また、図示は省略するが、測定及び検眼光学系１は、被検眼Ｅに向けてアライメント指標光束を投影するＺアライメント光学系を有している。このアライメント指標光束は、被検眼Ｅに対する測定及び検眼光学系１のアライメント状態として、主光軸Ｏ１と平行な方向（Ｚ方向）のアライメント状態の検出に用いられる。
【００４０】
ＸＹアライメント光学系５及びＺアライメント光学系（不図示）から被検眼Ｅに入射されたアライメント視標光束は、被検眼Ｅの角膜にて反射される。この角膜からの反射光は、既述の前眼部の観察像と共に、既述の前眼部観察光学系２を介して撮像素子１６に結像され、前眼部の観察像及びプルキンエ像（輝点）等が取得される。これにより、被検眼Ｅに対する測定及び検眼光学系１のＸＹＺ方向のアライメント状態を検出することができる。
【００４１】
視標光投影光学系６は、本発明の第２投影光学系に相当するものであり、他覚屈折力測定時において、被検眼Ｅを固視又は雲霧させるために固視標等を被検眼Ｅに投影する。視標光投影光学系６は光軸Ｏ４を有している。この視標光投影光学系６では、光軸Ｏ４上に沿って被検眼Ｅに遠い側から近い側に向かって、検眼視標表示部３６、結像レンズ３７、合焦レンズ３８、リレーレンズ３９、ビームスプリッタ４１、フィールドレンズ４２、バリアブルクロスシリンダ（Variable Cross‐Cylinder）レンズであるＶＣＣレンズ４３、ミラー４４、ダイクロイックミラー２７、ダイクロイックミラー９、及び対物レンズ８が配置されている。
【００４２】
光軸Ｏ４は、ミラー４４及びダイクロイックミラー９により順次偏向され、主光軸Ｏ１と合致する。
【００４３】
検眼視標表示部３６は、例えばバックライトを含むＬＣＤ（liquid crystal display）が用いられる。この検眼視標表示部３６は、被検眼Ｅの他覚検査を実施する場合に、この被検眼Ｅの固視及び雲霧を行う風景チャート等を表示し、自覚検査を実施するために、ランドルト環、Ｅ文字視標等、検眼視標、及び後述の固視マーク５８Ａ，５８Ｂ（図１０参照）等を表示する。検眼視標表示部３６により視標等が表示されると、この検眼視標表示部３６から結像レンズ３７及び合焦レンズ３８等に向けて視標等の光束が出射される。
【００４４】
合焦レンズ３８は、不図示の駆動機構により光軸Ｏ４に沿って進退駆動される。合焦レンズ３８を被検眼Ｅ側に移動させることで、視標等の光束の屈折力をマイナス側に変位させることができる。また逆に、合焦レンズ３８を被検眼Ｅから遠ざかる方向に移動させることで、視標等の光束の屈折力をプラス側に変位させることができる。従って、合焦レンズ３８の進退駆動により、検眼視標表示部３６に表示される視標等の被検眼Ｅに対する呈示距離を変更することができる。また、被検眼Ｅを固視又は雲霧させることができる。
【００４５】
ＶＣＣレンズ４３は、互いに正負の屈折力を有する２つのシリンダレンズ、すなわち凸曲面を有するシリンダレンズと、凹曲面を有するシリンダレンズとにより構成される。２つのシリンダレンズは、不図示のパルスモータ等の駆動機構により、光軸Ｏ４を中心としてその軸周り方向にそれぞれ独立して回転させることができる。２つのシリンダレンズを相対的に回転させることで乱視量を調整することができ、２つのシリンダレンズを一体に回転させることで乱視軸角度を調整することができる。従って、ＶＣＣレンズ４３は、被検眼Ｅの乱視を打消すことができる。また、ＶＣＣレンズ４３は、例えば被検眼Ｅ上で０Ｄから８Ｄ（Diopter）の乱視量を発生させることができ、対物レンズ８を介して被検眼Ｅの瞳孔と共役（略共役を含む）な位置に配置される。
【００４６】
なお、視標光投影光学系６を構成する他の各部については、公知技術であるので、その詳細についての説明は省略する。
【００４７】
ＣＣ視標光投影光学系７は、本発明の第１投影光学系に相当するものであり、被検眼Ｅに対して一対のＣＣ視標像５３Ａ，５３Ｂ（図３参照）を投影する。
【００４８】
ＣＣ視標光投影光学系７は、光軸Ｏ５を有している。このＣＣ視標光投影光学系７では、光軸Ｏ５上に沿って被検眼Ｅに遠い側から近い側に向かって、ＬＥＤ４５、拡散板４６、ＣＣ視標板４７、結像レンズ４８、プリズム付きＣＣレンズ４９、ミラー５１、リレーレンズ５２、ビームスプリッタ４１、フィールドレンズ４２、ＶＣＣレンズ４３、ミラー４４、ダイクロイックミラー２７、ダイクロイックミラー９、及び対物レンズ８が配置されている。
【００４９】
光軸Ｏ５は、ミラー５１、ビームスプリッタ４１、ミラー４４、ダイクロイックミラー９により順次偏向されることで、主光軸Ｏ１と合致する。また、ＣＣ視標光投影光学系７のビームスプリッタ４１、フィールドレンズ４２、ＶＣＣレンズ４３、ミラー４４、ダイクロイックミラー２７、ダイクロイックミラー９、及び対物レンズ８は、既述の視標光投影光学系６と共通して使用される。すなわち、視標光投影光学系６とＣＣ視標光投影光学系７とは、ビームスプリッタ４１を介して各々の光路が合致する。
【００５０】
ＬＥＤ４５は、白色光を拡散板４６に向けて出射する。拡散板４６は、ＬＥＤ４５から入射される白色光を拡散してＣＣ視標板４７を照明する。この拡散板４６によってＣＣ視標板４７を透過する白色光の照明ムラが低減される。
【００５１】
ＣＣ視標板４７は、ガラス基板にＣＣ検査用の点群状のドット視標パターン（他の視標パターンでも可）を描画したものである。ＣＣ視標板４７は、拡散板４６から入射される白色光を透過し、ＣＣ視標像５３（図３参照）の視標光束Ｌ０（図３参照）を、結像レンズ４８を通してプリズム付きＣＣレンズ４９に入射する。
【００５２】
ＬＥＤ４５、拡散板４６、及びＣＣ視標板４７は、不図示の駆動機構により、光軸Ｏ５に沿ってＣＣ視標ユニットとして一体的に進退駆動される。ＣＣ視標ユニット（ＬＥＤ４５、拡散板４６、及びＣＣ視標板４７）の進退駆動により、ＣＣ視標板４７から被検眼Ｅに投影されるＣＣ視標像５３（図３参照）の呈示距離を変更することができる。なお、ＣＣ視標ユニットは、視標光投影光学系６（第２投影光学系）の合焦レンズ３８と共通の駆動機構で進退駆動されてもよい。
【００５３】
なお、ＬＥＤ４５、拡散板４６、及びＣＣ視標板４７の位置を固定し、さらに合焦レンズ（不図示）を追加し、この合焦レンズを光軸Ｏ５に沿って進退駆動する構成としてもよい。また、既述のＣＣ視標ユニットの代わりに、既述の視標光投影光学系６（検眼視標表示部３６）と同様にＬＣＤ等を用いてもよい。
【００５４】
プリズム付きＣＣレンズ４９は、本発明の光束分割部材に相当するものであり、リレーレンズ５２に対してＶＣＣレンズ４３と共役（略共役を含む）な位置に設けられており、すなわち、被検眼Ｅの瞳孔と共役（略共役を含む、以下同じ）な位置に設けられている。このプリズム付きＣＣレンズ４９は、詳しくは後述するが、結像レンズ４８を通して入力されるＣＣ視標像５３（図３参照）の光束を、一対の光束群Ｌ１Ｇ，Ｌ２Ｇ（図８参照）に分割する。
【００５５】
また、プリズム付きＣＣレンズ４９の周囲には、例えばリングギア５４が形成されている。リングギア５４は、パルスモータ５６の出力軸に設けられた駆動ギア５５と噛合する。これにより、パルスモータ５６を駆動して駆動ギア５５を回転させると、この駆動ギア５５を介してプリズム付きＣＣレンズ４９が回転される。なお、パルスモータ５６の代わりに、出力軸の回転角を検出できるモータ、又は駆動入力値に対応した回転をするモータ等を用いてもよい。これにより、プリズム付きＣＣレンズ４９を、ＶＣＣレンズ４３により発生する乱視軸角度に合わせて回転させることができる。
【００５６】
プリズム付きＣＣレンズ４９により分割された一対の光束群Ｌ１Ｇ，Ｌ２Ｇ（図８参照）にそれぞれ対応する一対のＣＣ視標像５３Ａ，５３Ｂ（図１０参照）は、ミラー５１、リレーレンズ５２、ビームスプリッタ４１、フィールドレンズ４２、ＶＣＣレンズ４３、ミラー４４、ダイクロイックミラー２７、ダイクロイックミラー９、及び対物レンズ８を経て、互いに分離した状態で被検眼Ｅに投影される。
【００５７】
［プリズム付きＣＣレンズ］
以下、プリズム付きＣＣレンズ４９の詳細について説明を行う。最初に比較例１の一般的な自覚検眼機であるレフラクターヘッド等に搭載されるプリズム付きＣＣレンズ２００（図３参照）、及び比較例２の同様のプリズム付きＣＣレンズ２００（図５参照）の説明を行った後、本実施形態のプリズム付きＣＣレンズ４９について説明を行う。
【００５８】
＜比較例１のプリズム付きＣＣレンズ＞
図３は、比較例１のプリズム付きＣＣレンズ２００の構成及び作用を説明するための説明図である。なお、比較例１では、プリズム付きＣＣレンズ２００が被検眼Ｅの瞳孔と共役な位置に設けられておらず、プリズム付きＣＣレンズ２００が被検眼Ｅの瞳孔と略一定の距離をあけて配置されている。
【００５９】
図３に示すように、プリズム付きＣＣレンズ２００は、ＣＣレンズ２０１と、２種類のプリズム２０２Ａ，２０２Ｂとを備える。ＣＣレンズ２０１は、光軸Ｏ５上においてこの光軸Ｏ５に対して表裏面が直交する姿勢で配置されている。
【００６０】
図４は、比較例１のＣＣレンズ２０１の概略図である。図４に示すように、ＣＣレンズ２０１は、第１ＣＣレンズ２０１Ａと、第２ＣＣレンズ２０１Ｂとにより２分割された構造を有する。
【００６１】
第１ＣＣレンズ２０１Ａは、乱視度数が±０．５ＤのＣＣレンズ３００Ａに相当する光学特性を有している。一方、第２ＣＣレンズ２０１Ｂは、ＣＣレンズ３００Ａとは乱視軸角度が９０°（略９０°を含む）異なるＣＣレンズ３００Ｂに相当する光学特性を有している。なお、ＣＣレンズ３００Ａ及びＣＣレンズ３００Ｂの一方を、反転あるいは９０°回転させると、他方と一致する。これにより、第１ＣＣレンズ２０１Ａを透過した像と、第２ＣＣレンズ２０１Ｂを透過した像とは、乱視軸角度が９０°異なる。
【００６２】
図３に戻って、第１ＣＣレンズ２０１Ａの出射面にはプリズム２０２Ａが設けられ、第２ＣＣレンズ２０１Ｂの出射面にはプリズム２０２Ｂが設けられている。２種類のプリズム２０２Ａ，２０２Ｂは互いの基底（プリズムベース）が対向して配置されている。このため、プリズム２０２Ａ，２０２Ｂからそれぞれ異なる方向に光束が出射される。
【００６３】
プリズム付きＣＣレンズ２００に入射したＣＣ視標像５３の視標光束Ｌ０は、プリズム付きＣＣレンズ２００により、第１ＣＣレンズ２０１Ａ及びプリズム２０２Ａを透過した第１光束Ｌ１と、第２ＣＣレンズ２０１Ｂ及びプリズム２０２Ｂを透過した第２光束Ｌ２とを含む一対の光束Ｌ１，Ｌ２に分割される。一対の光束Ｌ１，Ｌ２は、乱視軸角度が９０°異なる一対のＣＣ視標像５３Ａ，５３Ｂとして被検眼Ｅに向けて投影される。これにより、一対のＣＣ視標像５３Ａ，５３Ｂが被検眼Ｅの眼底の異なる位置に投影される。従って、プリズム付きＣＣレンズ２００によって、乱視軸角度が９０°異なる一対のＣＣ視標像５３Ａ，５３Ｂを同時に被検眼Ｅで視認できる。
【００６４】
この際に比較例１では、一対の光束Ｌ１，Ｌ２が被検眼Ｅの瞳孔の近傍で交差するように、被検眼Ｅの瞳孔からのプリズム付きＣＣレンズ２００の距離とプリズム２０２Ａ，２０２Ｂの偏角とが設定されている。このため、一対の光束Ｌ１，Ｌ２はそれぞれ被検眼Ｅの瞳孔の全体（略全体を含む）を透過して被検眼Ｅの眼底に達する。このため、詳しくは後述するが、被検眼Ｅの瞳孔の一部に特異エリアＤＡ（図６参照）が発生していた場合でも、一対の光束Ｌ１，Ｌ２の一方だけが特異エリアＤＡの影響を受けることはない。
【００６５】
比較例１では、プリズム付きＣＣレンズ２００が被検眼Ｅの瞳孔と共役な位置に設けられていないので、図２のような構成の測定及び検眼光学系１においては、視標の呈示距離によって、プリズム付きＣＣレンズ２００の感度（見かけの光学特性）が変化してしまう。その結果、被検眼Ｅの屈折力（例えば強度近視眼の被検眼Ｅ、正視に近い被検眼Ｅ、及び強度遠視の被検眼Ｅ等）によって検眼精度に差が生じてしまう。このため、本願発明の検眼装置１００のように、プリズム付きＣＣレンズ２００は、被検眼Ｅの瞳孔と共役な位置に設けられていることが好ましい。
【００６６】
＜比較例２のプリズム付きＣＣレンズ＞
図５は、比較例２のプリズム付きＣＣレンズ２００の構成及び作用を説明するための説明図である。図５の符号ＶＡに示すように、比較例２のプリズム付きＣＣレンズ２００は、リレーレンズ５２に対してＶＣＣレンズ４３と共役であり、その結果、被検眼Ｅの瞳孔と共役な位置に設けられている。このため、図５の符号ＶＢに示すように、比較例２では、ＣＣ視標像５３の視標光束Ｌ０が、プリズム付きＣＣレンズ２００によって被検眼Ｅの瞳孔の位置で一対の光束Ｌ１，Ｌ２に分割される。
【００６７】
図６は、比較例２のプリズム付きＣＣレンズ２００の課題を説明するための説明図である。なお、図６中の符号ＶＩＡは、既述の比較例１において一対の光束Ｌ１，Ｌ２が入射する被検眼Ｅの瞳孔（符号ＰＵで表示、以下同じ）の正面図であり、符号ＶＩＢは符号ＶＩＡで示した瞳孔の断面図である。また、図６中の符号ＶＩＣは、比較例２において一対の光束Ｌ１，Ｌ２が入射する被検眼Ｅの瞳孔の正面図であり、符号ＶＩＤは符号ＶＩＣで示した瞳孔の断面図である。
【００６８】
図６の符号ＶＩＡ，ＶＩＢに示すように、比較例１では、既述の通り、一対の光束Ｌ１，Ｌ２が被検眼Ｅの瞳孔の近傍で交差するので、一対の光束Ｌ１，Ｌ２はそれぞれ被検眼Ｅの瞳孔の全体（略全体を含む）を透過して眼底に達する。このため、被検眼Ｅの瞳孔の一部に特異エリアＤＡ（収差）が発生している場合でも、一対の光束Ｌ１，Ｌ２の双方が特異エリアＤＡをそれぞれ透過するので、一対の光束Ｌ１，Ｌ２の一方だけが特異エリアＤＡの影響を受けることはない。
【００６９】
一方、図６の符号ＶＩＣ，ＶＩＤに示すように、比較例２では、プリズム付きＣＣレンズ２００が被検眼Ｅの瞳孔と共役な位置に設けられている。このため、被検眼Ｅの瞳孔の一部に特異エリアＤＡが発生している場合、一対の光束Ｌ１，Ｌ２の一方（ここでは光束Ｌ２）が特異エリアＤＡを透過するのに対して、一対の光束Ｌ１，Ｌ２の他方（ここでは光束Ｌ１）は特異エリアＤＡを透過しない。従って、一対の光束Ｌ１，Ｌ２の一方は特異エリアＤＡの影響を受けるのに対して、他方は特異エリアＤＡの影響を受けない。その結果、比較例２において被検眼Ｅに呈示される一対のＣＣ視標像５３Ａ，５３Ｂは、比較例１の自然視状態（一対の光束Ｌ１，Ｌ２が瞳孔全体を透過）の場合とは異なり、見え方に差が生じるおそれがある。その結果、比較例２では、被検眼Ｅの瞳孔の一部に特異エリアＤＡが発生している場合、正しい検眼を行うことができないおそれがある。
【００７０】
このような比較例２に対して、本実施形態のプリズム付きＣＣレンズ４９は、被検眼Ｅの瞳孔と共役な位置に設けられ且つ被検眼Ｅの瞳孔の一部に特異エリアＤＡが発生している場合であっても、精度のよい検眼を可能にする構成を備える。
【００７１】
＜本実施形態のプリズム付きＣＣレンズ＞
図７は、プリズム付きＣＣレンズ４９をＣＣレンズ１５０側から見た正面図である。図８は、プリズム付きＣＣレンズ４９の断面図である。図７及び図８に示すように、プリズム付きＣＣレンズ４９は、ＣＣレンズ１５０と２種類のプリズム１５１Ａ，１５１Ｂとを備える。
【００７２】
ＣＣレンズ１５０は、複数の第１ＣＣレンズ１５０Ａと、複数の第２ＣＣレンズ１５０Ｂとが、いわゆる市松模様状（チェッカーパターン状）に配列された構造を有している。すなわち、各第１ＣＣレンズ１５０Ａ及び各第２ＣＣレンズ１５０Ｂは、ＣＣレンズ１５０の面内（視標光束Ｌ０の光軸Ｏ５に垂直な面内）においてそれぞれ均等に配置されている。
【００７３】
なお、複数の第１ＣＣレンズ１５０Ａは、本発明の複数の第１光学特性領域及び複数の第１クロスシリンダレンズに相当し、複数の第２ＣＣレンズ１５０Ｂは、本発明の複数の第２光学特性領域及び複数の第２クロスシリンダレンズに相当する。
【００７４】
各第１ＣＣレンズ１５０Ａは、既述の図４に示したＣＣレンズ３００Ａに対応する光学特性を有し、且つ各第２ＣＣレンズ１５０Ｂは、既述の図４に示したＣＣレンズ３００Ｂに対応する光学特性を有している。このため、ＣＣ視標像５３の視標光束Ｌ０は、第１ＣＣレンズ１５０Ａを透過すると第１光束Ｌ１となり、第２ＣＣレンズ１５０Ｂを透過すると第２光束Ｌ２となる。第１光束Ｌ１及び第２光束Ｌ２は乱視軸角度が９０°異なる。
【００７５】
この際に、各第１ＣＣレンズ１５０Ａ及び各第２ＣＣレンズ１５０Ｂは市松模様状に配列、すなわち双方がモザイク状に配列されているので、各第１ＣＣレンズ１５０Ａは互いに分離し、且つ各第２ＣＣレンズ１５０Ｂも互いに分離している。このため、視標光束Ｌ０が各第１ＣＣレンズ１５０Ａをそれぞれ透過すると、各第１ＣＣレンズ１５０Ａから互いに分離した複数の第１光束Ｌ１を含む第１光束群Ｌ１Ｇが出射される。また、視標光束Ｌ０が各第２ＣＣレンズ１５０Ｂをそれぞれ透過すると、各第２ＣＣレンズ１５０Ｂから互いに分離した複数の第２光束Ｌ２を含む第２光束群Ｌ２Ｇが出射される。
【００７６】
プリズム１５１Ａは、比較例１及び比較例２で説明したプリズム２０２Ａと基本的に同じものであり、複数の第１ＣＣレンズ１５０Ａごとに個別に設けられている。これにより、各第１ＣＣレンズ１５０Ａからそれぞれ出射される第１光束群Ｌ１Ｇの各光束Ｌ１は、各プリズム２０２Ａによってそれぞれ同一方向に屈折される。
【００７７】
プリズム１５１Ｂは、比較例１及び比較例２で説明したプリズム２０２Ｂと基本的に同じものであり、複数の第２ＣＣレンズ１５０Ｂごとに個別に設けられている。これにより、各第２ＣＣレンズ１５０Ｂからそれぞれ出射された第２光束群Ｌ２Ｇの各光束Ｌ２は、各プリズム２０２Ｂによりそれぞれ同一方向で且つ各光束Ｌ１とは異なる方向に屈折される。
【００７８】
このようにプリズム付きＣＣレンズ４９は、第１ＣＣレンズ１５０Ａ及びプリズム１５１Ａと、第２ＣＣレンズ１５０Ｂ及びプリズム１５１Ｂと、を市松模様状に配列した構造（比較例２のプリズム付きＣＣレンズ２００を小型化したものをアレイ状に配列した構造）を有する。このため、プリズム付きＣＣレンズ４９は、視標光束Ｌ０を、第１光束群Ｌ１Ｇと第２光束群Ｌ２Ｇとを含む一対の光束群Ｌ１Ｇ，Ｌ２Ｇであって且つ乱視軸角度が９０°（略９０°を含む）異なる一対の光束群Ｌ１Ｇ，Ｌ２Ｇに分割する。
【００７９】
一対の光束群Ｌ１Ｇ，Ｌ２Ｇは、ＣＣ視標光投影光学系７のミラー５１から対物レンズ８を経て、乱視軸角度が９０°異なる一対のＣＣ視標像５３Ａ，５３Ｂ（本発明の一対の視標像に相当、図１０参照）として、互いに分離された状態で被検眼Ｅに向けて投影される。これにより、本実施形態のプリズム付きＣＣレンズ４９を用いた場合にも、乱視軸角度が９０°異なる一対のＣＣ視標像５３Ａ，５３Ｂを被検眼Ｅで同時に視認できる。
【００８０】
図９は、プリズム付きＣＣレンズ４９により分割された一対の光束群Ｌ１Ｇ，Ｌ２Ｇが入射する被検眼Ｅの瞳孔（符号ＰＵ）の正面図である。図９及び既述の図８に示すように、プリズム付きＣＣレンズ４９によって、視標光束Ｌ０は一対の光束群Ｌ１Ｇ，Ｌ２Ｇに分割、すなわちモザイク状のパターンの各第１光束Ｌ１と、モザイク状のパターンの各第２光束Ｌ２とに分割される。
【００８１】
このため、プリズム付きＣＣレンズ４９が被検眼Ｅの瞳孔と共役な位置に設けられ且つ被検眼Ｅの瞳孔の一部に特異エリアＤＡが発生している場合、各第１光束Ｌ１及び各第２光束Ｌ２の各々の一部が特異エリアＤＡの影響を受けることになる。このため、プリズム付きＣＣレンズ４９は、比較例２のプリズム付きＣＣレンズ２００とは異なり、被検眼Ｅの瞳孔と共役な位置に設けられている場合であっても特異エリアＤＡの影響を同様に受けることになる。
【００８２】
［固視マークの投影］
図１０は、ＣＣ視標光投影光学系７による被検眼Ｅへの一対のＣＣ視標像５３Ａ，５３Ｂの投影に合わせて、視標光投影光学系６により被検眼Ｅへ投影される固視マーク５８Ａ，５８Ｂを説明するための説明図である。
【００８３】
図１０の符号ＸＡに示すように、ＣＣ視標光投影光学系７は、被検眼Ｅに対して一対の光束群Ｌ１Ｇ，Ｌ２Ｇを投影することにより、被検眼Ｅは所定の位置関係（図中では斜めに配置）で配置された一対のＣＣ視標像５３Ａ，５３Ｂを視認することができる。この一対のＣＣ視標像５３Ａ，５３Ｂは、プリズム付きＣＣレンズ４９の回転角度、すなわち被検眼Ｅの乱視軸角度に一致する。
【００８４】
なお、一対のＣＣ視標像５３Ａ，５３Ｂはプリズム付きＣＣレンズ４９の影響でボケた状態で被検眼Ｅに呈示されている。このため、一対のＣＣ視標像５３Ａ，５３Ｂのボケ具合を比較し双方のボケがほぼ同じになるようにＶＣＣレンズ４３の各シリンダレンズの相対角度を調整することで、被検眼Ｅの正確な乱視量及び乱視軸角度を決定できる。
【００８５】
図１０の符号ＸＢに示すように、視標光投影光学系６の検眼視標表示部３６は、被検眼Ｅに投影される一対のＣＣ視標像５３Ａ，５３Ｂにそれぞれ対応する位置に、ＣＣ視標像５３Ａを識別するための固視マーク５８Ａと、ＣＣ視標像５３Ｂを識別するための固視マーク５８Ｂとを表示する。固視マーク５８Ａ，５８Ｂは、本発明の識別情報に相当するものであり、例えば数字（「１」、「２」）が用いられる。これにより、ＣＣ視標光投影光学系７から被検眼Ｅへ投影されるＣＣ視標像５３Ａの投影位置に対応する位置に、視標光投影光学系６から固視マーク５８Ａが投影される。また、ＣＣ視標光投影光学系７から被検眼Ｅへ投影されるＣＣ視標像５３Ｂの投影位置に対応する位置に、視標光投影光学系６から固視マーク５８Ｂが投影される。その結果、被検眼Ｅに対して、一対のＣＣ視標像５３Ａ，５３Ｂと固視マーク５８Ａ，５８Ｂとが同時に投影される。
【００８６】
図１１は、被検眼Ｅに同時に投影される一対のＣＣ視標像５３Ａ，５３Ｂと固視マーク５８Ａ，５８Ｂとの一例を説明するための説明図である。図１１に示すように、被検眼Ｅに対して、固視マーク５８ＡはＣＣ視標像５３Ａの投影位置に対応する位置（近傍位置）に投影され、且つ固視マーク５８ＢはＣＣ視標像５３Ｂの投影位置に対応する位置（近傍位置）に投影される。これにより、被検者は、ＣＣ視標像５３Ａの近傍位置に固視マーク５８Ａを視認することができ、且つＣＣ視標像５３Ｂの近傍位置に固視マーク５８Ｂを視認することができる。
【００８７】
固視マーク５８Ａ，５８Ｂは、符号ＸＩＡに示す数字「１」「２」の他に、符号ＸＩＢに示すようなＬｅｆｔ及びＲｉｇｈｔの各々の頭文字である「Ｌ」「Ｒ」、符号ＸＩＣ及び符号ＸＩＤに示すような方向を示す漢字文字である「左」「右」「上」「下」、及び符号ＸＩＥに示すような一対のＣＣ視標像５３Ａ，５３Ｂをそれぞれ囲み且つ互いに色（線種でも可）異なる「円枠」などが例として挙げられる。なお、固視マーク５８Ａ，５８Ｂは、上述の各パターンに限定されるものではなく、互いに形状が異なる各種記号又は文字等であってもよい。
【００８８】
［制御部］
図１に戻って、測定及び検眼光学系１には制御部５７が接続されている。制御部５７は、例えばＣＰＵ（Central Processing Unit）又はＦＰＧＡ（field-programmable gate array）等を含む各種の演算部及びメモリ等から構成された演算回路であり、コントローラ１０４に入力された操作指示に基づき測定及び検眼光学系１の各部を統括制御する。
【００８９】
制御部５７は、既述のＬＥＤ１０、ＬＥＤ１７、ＬＥＤ３４、検眼視標表示部３６、及びＬＥＤ４５の各々における発光又は表示を制御する。また、制御部５７は、ＬＥＤ１７、コリメータレンズ１８、円錐プリズム１９、及びリング指標板２１を含む光源ユニットの進退駆動と、合焦レンズ３２及び合焦レンズ３８の各々の進退駆動と、ＬＥＤ４５、拡散板４６、及びＣＣ視標板４７の進退駆動と、をそれぞれ制御する。さらに、制御部５７は、ＶＣＣレンズ４３、プリズム付きＣＣレンズ４９、及びロータリプリズム２６の各々の回転を制御する。
【００９０】
さらにまた、制御部５７は、既述のＸＹアライメント光学系５及びＺアライメント光学系（不図示）から被検眼Ｅへのアライメント視標光束の入射に応じて、前眼部観察光学系２の撮像素子１６により撮像された前眼部の観察像及びプルキンエ像等に基づき、被検眼Ｅに対する測定及び検眼光学系１のＸＹＺ軸方向のアライメント状態を検出する。そして、制御部５７は、検眼装置１００に設けられた不図示のアライメント機構を駆動して、被検眼Ｅに対する測定及び検眼光学系１のアライメント（オートアライメント）を実行する。なお、オートアライメントを実行する代わりに、既述の前眼部の観察像及びプルキンエ像等に基づき、検者が手動でアライメント（手動アライメント）を行ってもよい。
【００９１】
さらにまた、制御部５７は、プリズム付きＣＣレンズ４９の回転角の変化に応じて、検眼視標表示部３６で表示される既述の固視マーク５８Ａ，５８Ｂの表示位置、すなわち被検眼Ｅに対する固視マーク５８Ａ，５８Ｂの投影位置を変化させる。
【００９２】
図１２は、制御部５７による被検眼Ｅに対する固視マーク５８Ａ，５８Ｂの投影位置の変化制御を説明するための説明図である。図１２の符号ＸＩＩＡ、符号ＸＩＩＢ、符号ＸＩＩＣ、及び符号ＸＩＩＤに示すように、制御部５７は、プリズム付きＣＣレンズ４９の回転角が変化すると、被検眼Ｅに対する一対のＣＣ視標像５３Ａ，５３Ｂの投影位置の変化に追従するように、検眼視標表示部３６による固視マーク５８Ａ，５８Ｂの表示位置を変化させる。これにより、被検眼Ｅに対する固視マーク５８Ａ，５８Ｂの投影位置を、一対のＣＣ視標像５３Ａ，５３Ｂの投影位置の変化に追従して変化させることができる。
【００９３】
図１に戻って、制御部５７は、プリズム付きＣＣレンズ４９がＶＣＣレンズ４３で発生させる乱視軸角度に連動して回転するように、既述のパルスモータ５６の駆動を制御してもよい。
【００９４】
さらにまた、制御部５７は、前眼部観察光学系２の撮像素子１６によって被検眼Ｅからの反射光（リング状のパターン光束）を撮像した撮像信号に基づき、被検眼Ｅの眼屈折力を公知の手法により演算することができる。
【００９５】
［検眼装置の作用］
次に、上記構成の検眼装置１００による被検眼Ｅの検眼処理について説明を行う。
【００９６】
最初に、検眼装置１００に対して被検者の被検眼Ｅが所定の検眼位置に位置決めされる。次いで、検者がコントローラ１０４に対して検査開始指示を入力すると、制御部５７は、視標光投影光学系６の検眼視標表示部３６に風景等の固視標を表示させ、この視標光投影光学系６を介して、被検眼Ｅを固視させるための固視標を被検眼Ｅへ投影する。
【００９７】
続けて、被検眼Ｅに対する測定及び検眼光学系１のアライメントが開始される。制御部５７は、ＸＹアライメント光学系５のＬＥＤ３４を点灯させ、このＸＹアライメント光学系５を介して、ＸＹアライメント用のアライメント視標光束を被検眼Ｅに対して投影する。また、制御部５７は、不図示のＺアライメント光学系のＬＥＤを点灯させ、このＺアライメント光学系を介して、Ｚアライメント用のアライメント視標光束を被検眼Ｅに対して投影する。さらに、制御部５７は、ＬＥＤ１０を点灯させて、被検眼Ｅに照明光を照射する。
【００９８】
ＸＹアライメント光学系５、不図示のＺアライメント光学系、及びＬＥＤ１０からそれぞれ被検眼Ｅに入射された各光束は、被検眼Ｅの前眼部にて反射される。この反射光は、前眼部観察光学系２を介して撮像素子１６の撮像面に結像され、プルキンエ像及び前眼部の観察像が撮像素子１６により撮像される。そして、撮像素子１６は、プルキンエ像及び前眼部の観察像の撮像信号を制御部５７へ出力する。
【００９９】
制御部５７は、撮像素子１６から入力された撮像信号に基づき、不図示のアライメント機構を駆動して、被検眼Ｅに対する測定及び検眼光学系１のＸＹＺ方向のオートアライメントを実施する。なお、オートアライメントを行う代わりに検者による手動アライメントを行ってもよい。
【０１００】
オートアライメント完了後、制御部５７は被検眼Ｅの眼屈折力の他覚検査を開始させる。制御部５７は、パターン光束投影光学系３のＬＥＤ１７を点灯させ、このパターン光束投影光学系３の瞳絞り２３等を介して、リング状のパターン光束（リング状の投影像）を被検眼Ｅに投影する。このリング状の投影像は、被検眼Ｅの眼屈折力により形状を歪められた状態で、被検眼Ｅの眼底に投影される。そして、この眼底に投影されたリング状の投影像は、受光光学系４を介して撮像素子１６の撮像面に結像され、撮像素子１６によって撮像される。撮像素子１６は、リング状の投影像の撮像信号を制御部５７へ出力する。
【０１０１】
制御部５７は、撮像素子１６から入力される撮像信号に基づき、リング状の投影像の形状を解析する。次いで、制御部５７は、この投影像の解析結果と、既述のＬＥＤ１７、コリメータレンズ１８、円錐プリズム１９、リング指標板２１、及び合焦レンズ３２の移動量とに基づいて、公知の手法により被検眼Ｅの眼屈折力を演算する。これにより、被検眼Ｅの他覚検査が完了する。
【０１０２】
なお、被検眼Ｅの眼屈折力の他覚検査の方法は上記の方法に限らない。例えば、被検眼Ｅの眼底に小輝点を投影し、この眼底から反射した光束を受光経路内に配置した光学素子により検出し、この検出結果に基づき被検眼Ｅの眼屈折力を演算してもよい。
【０１０３】
他覚検査の終了後、この他覚検査で求められた測定結果に基づき自覚検査が実施される。検者がコントローラ１０４に対して検査開始指示を入力すると、制御部５７は、他覚検査結果より得られた遠点での眼屈折力ＳＣＡ値（Ｓｐｈｅｒｉｃａｌ、Ｃｙｌｉｎｄｅｒ、Ａｘｉｓ）に基づき、被検眼Ｅの屈折異常を矯正するように合焦レンズ３８を光軸Ｏ４に沿って移動し、且つＶＣＣレンズ４３の各々のシリンダレンズを相対的に回転しセットする。また、制御部５７は、視標光投影光学系６の検眼視標表示部３６に視力検査用の視標（ランドルト環又はＥ文字視標等）を表示させ、この視標光投影光学系６を介して視力検査用の視標を被検眼Ｅへ投影する。
【０１０４】
被検者は、ランドルト環の切れ目又はＥ文字の向きを口答もしくはレバー等の傾倒方向等で応答する。
【０１０５】
ここで、視力検査用の視標に対する応答で充分な視力（例えば視力値１．０以上）が得られない場合、検者はコントローラ１０４にて合焦レンズ３８の移動操作、及びＶＣＣレンズ４３の角度変更操作等を行う。また、被検眼Ｅの乱視量及び乱視軸角度のズレは、被検眼Ｅに放射線状の視標を呈示して経線方向における「見え」の差異の有無を被検者に確認することにより、概略確認が可能である。そして、被検眼Ｅの乱視量及び乱視軸角度の詳細確認のため、ＣＣテストが開始される。
【０１０６】
図１３は、検眼装置１００によるＣＣテストの流れを示したフローチャートである。なお、ここでは既述のＣＣ視標ユニット（ＬＥＤ４５、拡散板４６、及びＣＣ視標板４７）及び合焦レンズ３８の位置調整は予め行われているものとする。
【０１０７】
検者がコントローラ１０４にてＣＣテスト開始操作を行うと、制御部５７はＣＣ視標光投影光学系７のＬＥＤ４５を点灯させる（ステップＳ１）。これにより、ＣＣ視標ユニット（ＬＥＤ４５、拡散板４６、及びＣＣ視標板４７）から、結像レンズ４８を通してＣＣ視標像５３の視標光束Ｌ０がプリズム付きＣＣレンズ４９に入射する。
【０１０８】
この視標光束Ｌ０は、既述の図７から図９に示したようにプリズム付きＣＣレンズ４９によって、互いに乱視軸角度が９０°異なる一対の光束群Ｌ１Ｇ，Ｌ２Ｇに分割される（ステップＳ２）。そして、一対の光束群Ｌ１Ｇ，Ｌ２Ｇは、ＣＣ視標光投影光学系７の各部（ミラー５１から対物レンズ８）を経て、乱視軸角度が９０°異なる一対のＣＣ視標像５３Ａ，５３Ｂとして互いに分離された状態で被検眼Ｅに投影される（ステップＳ３）。これにより、被検者は、既述の図１１に示したように、一対のＣＣ視標像５３Ａ，５３Ｂを被検眼Ｅで同時に視認できる。
【０１０９】
また、制御部５７は、被検眼Ｅに対する一対のＣＣ視標像５３Ａ，５３Ｂの投影位置に合わせて、視標光投影光学系６の検眼視標表示部３６に固視マーク８５Ａ，８５Ｂをそれぞれ表示させる。これにより、既述の図１１に示したように、被検眼Ｅに投影される一対のＣＣ視標像５３Ａ，５３Ｂの各々の投影位置に対応する位置に、視標光投影光学系６から固視マーク５８Ａ，５８Ｂが投影される（ステップＳ４）。その結果、被検者はＣＣ視標像５３Ａの近傍位置に固視マーク５８Ａを視認し、且つＣＣ視標像５３Ｂの近傍位置に固視マーク５８Ｂを視認することができる。
【０１１０】
被検者は、固視マーク５８Ａ，５８Ｂに基づき、乱視軸角度が９０°異なる一対のＣＣ視標像５３Ａ，５３Ｂを同時且つ互いに識別可能に視認することができるので、両者の一方がどの程度の明瞭さであったかを記憶して他方との比較を行う必要がなくなる。このため、被検者の負担を軽減できる。
【０１１１】
この際に、固視マーク５８Ａ，５８Ｂはプリズム付きＣＣレンズ４９を透過していないので、双方とも同等の「見え」となる。これに対して、一対のＣＣ視標像５３Ａ，５３Ｂはプリズム付きＣＣレンズ４９の影響でいずれか一方もしくは双方が同じ様にボケて視認される。このため、被検眼Ｅが固視マーク５８Ａ，５８Ｂに注目して調節を行ったり、或いは一対のＣＣ視標像５３Ａ，５３Ｂではなく固視マーク５８Ａ，５８Ｂに着目して「両方ともはっきり見える」と誤認したりする等の不具合が発生するおそれがある。
【０１１２】
そこで、被検眼Ｅへの固視マーク５８Ａ，５８Ｂの投影後、被検者が固視マーク５８Ａ，５８Ｂを充分認識できる所定の時間が経過すると、制御部５７は、検眼視標表示部３６による固視マーク８５Ａ，８５Ｂの表示を停止（消灯）させる（ステップＳ５）。これにより、視標光投影光学系６による被検眼Ｅへの固視マーク８５Ａ，８５Ｂの投影が終了する。その結果、上述の不具合を回避することができる。
【０１１３】
次いで、検者は、被検者に対して一対のＣＣ視標像５３Ａ，５３Ｂのどちらの像が明瞭に（はっきりと）見えるかを問いかけ、被検者からの応答に基づき、被検者が一対のＣＣ視標像５３Ａ，５３Ｂのどちらを明瞭に視認できのるかを判断する。
【０１１４】
被検者は、一対のＣＣ視標像５３Ａ，５３Ｂの見え方が同程度であると判断した場合、その旨を検者に応答する（ステップＳ６でＹＥＳ）。なお、被検者による応答は、音声であってもよいし、傾動可能なレバー或いは固視マーク５８Ａ，５８Ｂを指定可能なボタン等であってもよい。
【０１１５】
一方、被検者は、一対のＣＣ視標像５３Ａ，５３Ｂの明瞭さが異なる場合、より良く視認できた方に対応する固視マーク５８Ａ，５８Ｂを検者に応答する（ステップＳ６でＮＯ）。この場合、検者は、被検者の応答に基づき、条件を替えて再度被検者に確認する。
【０１１６】
検者がコントローラ１０４に対して条件変更操作を行うと、制御部５７は、ＶＣＣレンズ４３の２つのシリンダレンズを相対的あるいは一体的に回転させることで、乱視量及び乱視軸角度を調整する。また、制御部５７は、パルスモータ５６の駆動を制御して、ＶＣＣレンズ４３により発生する乱視軸角度に合わせて、プリズム付きＣＣレンズ４９を回転させる（ステップＳ７）。
【０１１７】
なお、プリズム付きＣＣレンズ４９の回転によって、被検眼Ｅに投影される一対のＣＣ視標像５３Ａ，５３Ｂの位置関係が変化する。このため、制御部５７は、検眼視標表示部３６を制御して、既述の図１２に示したように、被検眼Ｅに対する一対のＣＣ視標像５３Ａ，５３Ｂの投影位置の変化に追従するように、検眼視標表示部３６による固視マーク５８Ａ，５８Ｂの表示位置を変化させる（ステップＳ８）。
【０１１８】
固視マーク５８Ａ，５８Ｂの表示位置の変化に応じて、被検眼Ｅに対して、常に固視マーク５８Ａ，５８Ｂが一対のＣＣ視標像５３Ａ，５３Ｂの投影位置にそれぞれに対応する位置に投影される。その結果、被検者は、一対のＣＣ視標像５３Ａ，５３Ｂの投影位置の位置変化に関係なく、明瞭に視認されている一対のＣＣ視標像５３Ａ，５３Ｂの近傍に位置する固視マーク５８Ａ，５８Ｂを答えるだけでよい。これにより、被検者の負担が軽減されると共に、被検者の誤答を抑制することができ、測定時間の短縮及び作業性の向上を図ることができる。
【０１１９】
既述のステップＳ５と同様に、被検者が固視マーク５８Ａ，５８Ｂを充分認識できる所定の時間が経過すると、制御部５７は、検眼視標表示部３６による固視マーク８５Ａ，８５Ｂの表示を停止（消灯）させる（ステップＳ９）。
【０１２０】
次いで、被検者が一対のＣＣ視標像５３Ａ，５３Ｂのどちらを明瞭に視認できるかについての判断が再度行われる（ステップＳ６）。以下、被検者が一対のＣＣ視標像５３Ａ，５３Ｂの見え方が同程度であると判断するまで、既述のステップＳ６からステップＳ９までの処理が繰り返し実行される。
【０１２１】
ステップＳ６でＹＥＳの場合、制御部５７は、ＶＣＣレンズ４３の各シリンダレンズの相対回転量及び一体回転量に基づき、被検眼Ｅの乱視量と乱視軸角度を演算する（ステップＳ１０）。これにより、被検眼Ｅの乱視量及び乱視軸角度の検査が完了する。以下、必要に応じて、レッドグリーンテスト及び両眼開放検査等が実施されて自覚検査が終了する。
【０１２２】
［本実施形態の効果］
以上のように、本実施形態の検眼装置１００では、プリズム付きＣＣレンズ４９によって視標光束Ｌ０を乱視軸角度が９０°異なる一対の光束群Ｌ１Ｇ，Ｌ２Ｇに分割できる。このため、既述の図８等に示したように、プリズム付きＣＣレンズ４９が被検眼Ｅの瞳孔と共役な位置に設けられ且つ被検眼Ｅの瞳孔の一部に特異エリアＤＡが発生している場合でも、一対の光束群Ｌ１Ｇ，Ｌ２Ｇを各々構成する各第１光束Ｌ１及び各光束Ｌ２のそれぞれは同様に特異エリアＤＡの影響を受ける。その結果、プリズム付きＣＣレンズ４９を被検眼Ｅの瞳孔と共役な位置に設けた場合でも、特異エリアＤＡの影響を含め、精度の良い検眼を行うことができる。これにより、被検眼Ｅによる一対のＣＣ視標像５３Ａ，５３Ｂの同時視認と、精度のよい観察との両方を実現できる。
【０１２３】
［プリズム付きＣＣレンズの他実施形態１］
上記実施形態のプリズム付きＣＣレンズ４９では、その入出射面（視標光束Ｌ０の入射面及び一対の光束群Ｌ１Ｇ，Ｌ２Ｇの出射面）の一方にＣＣレンズ１５０が設けられ、且つ他方にプリズム１５１Ａ，１５１Ｂが設けられているが、本発明はこれに限定されるものではない。例えば、プリズム付きＣＣレンズ４９の入出射面のいずれか一方の面に、既述の第１ＣＣレンズ１５０Ａ及びプリズム１５１Ａを複合した第１複合光学系１６０Ａ（図１４参照）と、既述の第２ＣＣレンズ１５０Ｂ及びプリズム１５１Ｂを複合した第２複合光学系１６０Ｂ（図１４参照）と、を形成してもよい。
【０１２４】
図１４の符号ＸＩＶＡは、第１複合光学系１６０Ａを有する第１レンズ１７０Ａの断面図であり、符号ＸＩＶＢは、第２複合光学系１６０Ｂを有する第２レンズ１７０Ｂの断面図である。図１４に示すように、第１レンズ１７０Ａの出射面は、第１複合光学系１６０Ａとして機能し、すなわち既述の第１ＣＣレンズ１５０Ａ及びプリズム１５１Ａと同等の機能を有する。
【０１２５】
従って、第１レンズ１７０Ａ及び第２レンズ１７０Ｂをそれぞれ図中の紙面上下方向の中央で切断して、第１レンズ１７０Ａの上半分と第２レンズ１７０Ｂの下半分とを組み合わせることで、図１５に示すように、既述の比較例１及び比較例２のプリズム付きＣＣレンズ２００（図３及び図５参照）と同等の機能を有する比較例３のプリズム付きＣＣレンズ２００Ａが得られる。なお、図１５は、比較例３のプリズム付きＣＣレンズ２００Ａの断面図である。
【０１２６】
図１６は、第１複合光学系１６０Ａ及び第２複合光学系１６０Ｂを有する他実施形態１のプリズム付きＣＣレンズ８０の製法を説明するための説明図である。図１６の符号ＸＶＩＡに示すように、第１レンズ１７０Ａ及び第２レンズ１７０Ｂを各々の入射面又は出射面（すなわち、光軸Ｏ５に直交する面）側から見て格子状に細分化する。
【０１２７】
次いで、図１６の符号ＸＶＩＢに示すように、細分化された第１レンズ１７０Ａと細分化された第２レンズ１７０Ｂとを、光軸Ｏ５に直交する面内で市松模様状に配列して組み合わせて、プリズム付きＣＣレンズ８０を構成する。これにより、プリズム付きＣＣレンズ８０の出射面側には、複数の第１複合光学系１６０Ａと複数の第２複合光学系１６０Ｂとが市松模様状に配列される。その結果、図１６の符号ＸＶＩＣに示すように、プリズム付きＣＣレンズ８０は、上記実施形態のプリズム付きＣＣレンズ４９と同様に、視標光束Ｌ０を乱視軸角度が９０°異なる一対の光束群Ｌ１Ｇ，Ｌ２Ｇに分割できる。
【０１２８】
なお、プリズム付きＣＣレンズ８０の出射面側に各第１複合光学系１６０Ａ及び各第２複合光学系１６０Ｂをそれぞれ複数形成する代わりに、プリズム付きＣＣレンズ８０の入射面側或いは両方に同等の光学機能を有する各複合光学系を複数形成してもよい。
【０１２９】
［プリズム付きＣＣレンズの他実施形態２］
上記実施形態のＣＣ視標光投影光学系７は、乱視度数（円柱度数）が±０．５Ｄの各第１ＣＣレンズ１５０Ａをそれぞれ透過した第１光束群Ｌ１Ｇにより形成されるＣＣ視標像５３Ａと、乱視度数が±０．５Ｄの各第２ＣＣレンズ１５０Ｂをそれぞれ透過した第２光束群Ｌ２Ｇにより形成されるＣＣ視標像５３Ｂと、を同時に被検眼Ｅに投影している。
【０１３０】
この際に、ＣＣテストでは、乱視度数が±０．５ＤのＣＣレンズ（図４の第１ＣＣレンズ２０１Ａ及び第２ＣＣレンズ２０１Ｂ参照）を用いた粗調整と、乱視度数が±０．２５ＤのＣＣレンズ（図１８参照）を用いた微調整と、を検眼の状況に応じて使い分けて実施するのが通常である。このため、上記実施形態のＣＣ視標光投影光学系７において、乱視度数が±０．５Ｄのプリズム付きＣＣレンズ４９と、乱視度数が±０．２５Ｄのプリズム付きＣＣレンズ４９と、を視標光束Ｌ０の光路上に選択的に挿入する切替機構を設けることが考えられる。しかし、この場合、切替機構の複雑化により、検眼装置１００のコストアップ、大型化、及び重量増の他、耐久性等に影響を及ぼすおそれがある。
【０１３１】
そこで、ＣＣ視標光投影光学系７において、視標光束Ｌ０を一組の一対の光束群Ｌ１Ｇ，Ｌ２Ｇに分割するのではなく、２組以上の一対の光束群に分割してもよい。
【０１３２】
図１７は、他実施形態２のプリズム付きＣＣレンズ９０をそのＣＣレンズ１９０側から見た正面図である。図１７に示すように、プリズム付きＣＣレンズ９０は、視標光束Ｌ０を一対の光束群Ｌ１Ｇ，Ｌ２Ｇと一対の光束群ＬＡＧ，ＬＢＧ（図１９参照）とに分割、すなわち視標光束Ｌ０を４つの光束群に分割する。
【０１３３】
プリズム付きＣＣレンズ９０を構成するＣＣレンズ１９０は、複数の第１光学特性領域と複数の第２光学特性領域との組み合わせを２組有している。具体的に、ＣＣレンズ１９０は、１組目として、複数の第１光学特性領域に相当する複数の第１ＣＣレンズ１９０Ａ１と、複数の第２光学系特性領域に相当する複数の第２ＣＣレンズ１９０Ｂ１と、を備える。また、ＣＣレンズ１９０は、２組目として、複数の第１光学特性領域に相当する複数の第１ＣＣレンズ１９０Ａ２と、複数の第２光学系特性領域に相当する複数の第２ＣＣレンズ１９０Ｂ２と、を備える。
【０１３４】
従って、ＣＣレンズ１９０は、複数の第１ＣＣレンズ１９０Ａ１と、複数の第２ＣＣレンズ１９０Ｂ１と、複数の第１ＣＣレンズ１９０Ａ２と、複数の第２ＣＣレンズ１９０Ｂ２と、がそれぞれモザイク状のパターンで配列された構造を有している。このため、各第１ＣＣレンズ１９０Ａ１、各第２ＣＣレンズ１９０Ｂ１、各第１ＣＣレンズ１９０Ａ２、及び各第２ＣＣレンズ１９０Ｂ２は、ＣＣレンズ１９０の面内（光軸Ｏ５に垂直な面内）においてそれぞれ均等に配置されている。
【０１３５】
図１８は、第１ＣＣレンズ１９０Ａ１及び第２ＣＣレンズ１９０Ｂ１と、第１ＣＣレンズ１９０Ａ２及び第２ＣＣレンズ１９０Ｂ２との光学特性を説明するための説明図である。図１８の符号ＸＶＩＩＩＡ及び符号ＸＶＩＩＩＢに示すように、第１ＣＣレンズ１９０Ａ１は既述のＣＣレンズ３００Ａに相当する光学特性を有し、第２ＣＣレンズ１９０Ｂ１は既述のＣＣレンズ３００Ｂに相当する光学特性を有する。このため、視標光束Ｌ０は、第１ＣＣレンズ１９０Ａ１を透過すると第１光束Ｌ１となり、第２ＣＣレンズ１９０Ｂ１を透過すると第２光束Ｌ２となる。第１光束Ｌ１及び第２光束Ｌ２は乱視軸角度が９０°異なる。
【０１３６】
一方、第１ＣＣレンズ１９０Ａ２は、ＣＣレンズ３００Ａとは光学特性が異なる乱視度数が±０．２５ＤのＣＣレンズ３００Ｃに相当する光学特性を有している。また、第２ＣＣレンズ１９０Ｂ２は、ＣＣレンズ３００Ｂとは光学特性（ここでは乱視度数）が異なるＣＣレンズ３００Ｄであって且つＣＣレンズ３００Ｃとは乱視軸角度が９０°（略９０°を含む）異なるＣＣレンズ３００Ｄに相当する光学特性を有している。このため、視標光束Ｌ０は、第１ＣＣレンズ１９０Ａ２を透過すると第１光束ＬＡとなり、第２ＣＣレンズ１９０Ｂ２を透過すると第２光束ＬＢとなる。第１光束ＬＡ及び第２光束ＬＢは乱視軸角度が９０°異なる。
【０１３７】
各第１ＣＣレンズ１９０Ａ１にはそれぞれプリズム１９１Ａ１が個別に設けられ、各第２ＣＣレンズ１９０Ｂ１にはそれぞれプリズム１９１Ｂ１が個別に設けられている。また、各第１ＣＣレンズ１９０Ａ２にはそれぞれプリズム１９１Ａ２が個別に設けられ、各第２ＣＣレンズ１９０Ｂ２にはそれぞれプリズム１９１Ｂ２が個別に設けられている。各プリズム１９１Ａ１，１９１Ｂ１，１９１Ａ２，１９１Ｂ２は、互いに異なる方向が基底（プリズムベース）となるように配置されており、各光束Ｌ１，Ｌ２、ＬＡ，ＬＢをそれぞれ異なる方向に屈折する。
【０１３８】
図１９は、他実施形態２のプリズム付きＣＣレンズ９０により分割された一対の光束群Ｌ１Ｇ，Ｌ２Ｇと一対の光束群ＬＡＧ，ＬＢＧとが入射する被検眼Ｅの瞳孔（符号ＰＵ）の正面図である。既述の図１７に示したように、各第１ＣＣレンズ１９０Ａ１は互いに分離して配置され、各第２ＣＣレンズ１９０Ｂ１も互いに分離して配置されている。このため、図１９に示すように、視標光束Ｌ０が各第１ＣＣレンズ１９０Ａ１をそれぞれ透過すると、各第１ＣＣレンズ１９０Ａ１から互いに分離した複数の第１光束Ｌ１を含む第１光束群Ｌ１Ｇが出射される。また、視標光束Ｌ０が各第２ＣＣレンズ１９０Ｂ１をそれぞれ透過すると、各第２ＣＣレンズ１９０Ｂ１から互いに分離した複数の第２光束Ｌ２を含む第２光束群Ｌ２Ｇが出射される。
【０１３９】
一方、既述の図１７に示したように、各第１ＣＣレンズ１９０Ａ２も互いに分離して配置され、各第２ＣＣレンズ１９０Ｂ２も互いに分離して配置されている。このため、図１９に示すように、視標光束Ｌ０が各第１ＣＣレンズ１９０Ａ２をそれぞれ透過すると、各第１ＣＣレンズ１９０Ａ２から互いに分離した複数の第１光束ＬＡで構成される第１光束群ＬＡＧが出射される。また、視標光束Ｌ０が各第２ＣＣレンズ１９０Ｂ２をそれぞれ透過すると、各第２ＣＣレンズ１９０Ｂ２から互いに分離した複数の第２光束ＬＢで構成される第２光束群ＬＢＧが出射される。
【０１４０】
このように他実施形態２のプリズム付きＣＣレンズ９０は、視標光束Ｌ０を、互いに乱視軸角度が９０°異なる１組目の一対の光束群Ｌ１Ｇ、Ｌ２Ｇと、互いに乱視軸角度が９０°異なる２組目の一対の光束群ＬＡＧ、ＬＢＧと、にそれぞれ分割する。そして、第１光束群Ｌ１Ｇ、第２光束群Ｌ２Ｇ、第１光束群ＬＡＧ、及び第２光束群ＬＢＧは、それぞれ対応するプリズム１９１Ａ１，１９１Ｂ１，１９１Ａ２，１９１Ｂ２により、互いに異なる方向に屈折される。例えば、１組目の一対の光束群Ｌ１Ｇ、Ｌ２Ｇは例えば図１９中において上下方向に互いに交差するように屈折される。また、２組目の一対の光束群ＬＡＧ、ＬＢＧは例えば図１９中において左右方向に互いに交差するように屈折される。
【０１４１】
図２０は、他実施形態２のプリズム付きＣＣレンズ９０により被検眼Ｅに投影されるＣＣ視標像を説明するための説明図である。図２０に示すように、１組目の一対の光束群Ｌ１Ｇ，Ｌ２Ｇは、ＣＣ視標光投影光学系７のミラー５１から対物レンズ８を経て、乱視軸角度が９０°異なる一対のＣＣ視標像５３Ａ，５３Ｂとして互いに分離された状態で被検眼Ｅに向けて投影される。また、２組目の一対の光束群ＬＡＧ，ＬＢＧについても同様に、乱視軸角度が９０°異なる一対のＣＣ視標像５３Ｃ，５３Ｄとして互いに分離された状態で被検眼Ｅに向けて投影される。これにより、一対のＣＣ視標像５３Ａ，５３Ｂと、一対のＣＣ視標像５３Ｃ，５３Ｄと、がそれぞれ被検眼Ｅに同時に投影される。
【０１４２】
なお、プリズム付きＣＣレンズ９０を用いた場合、既述の視標光投影光学系６の検眼視標表示部３６は、被検眼Ｅに投影される１組目の一対のＣＣ視標像５３Ａ，５３Ｂの投影位置にそれぞれ対応する位置に、ＣＣ視標像５３Ａを識別するための固視マーク５８Ａと、ＣＣ視標像５３Ｂを識別するための固視マーク５８Ｂとを表示する。また、検眼視標表示部３６は、被検眼Ｅに投影される２組目の一対のＣＣ視標像５３Ｃ，５３Ｄの投影位置にそれぞれ対応する位置に、ＣＣ視標像５３Ｃを識別するための固視マーク５８Ｃと、ＣＣ視標像５３Ｄを識別するための固視マーク５８Ｄとを表示する。
【０１４３】
各固視マーク５８Ａ，５８Ｂ，５８Ｃ，５８Ｄは、本発明の識別情報に相当するものである。固視マーク５８Ａ，５８Ｂとしては例えば数字（「１」、「２」）が用いられ、固視マーク５８Ｃ，５８Ｄとしては例えばアルファベット（「Ａ」、「Ｂ」）が用いられる。各固視マーク５８Ａ，５８Ｂ，５８Ｃ，５８Ｄの態様は、既述の図１１に示したように適宜変更してもよい。
【０１４４】
被検眼Ｅに対して、ＣＣ視標像５３Ａの投影位置に対応する位置に視標光投影光学系６から固視マーク５８Ａが投影され、ＣＣ視標像５３Ｂの投影位置に対応する位置に視標光投影光学系６から固視マーク５８Ｂの光束が投影される。また同様に、被検眼Ｅに対して、ＣＣ視標像５３Ｃの投影位置に対応する位置に視標光投影光学系６から固視マーク５８Ｃが投影され、ＣＣ視標像５３Ｄの投影位置に対応する位置に視標光投影光学系６から固視マーク５８Ｄが投影される。その結果、被検者は、ＣＣ視標像５３Ａの近傍位置に固視マーク５８Ａを視認し、ＣＣ視標像５３Ｂの近傍位置に固視マーク５８Ｂを視認し、ＣＣ視標像５３Ｃの近傍位置に固視マーク５８Ｃを視認し、ＣＣ視標像５３Ｄの近傍位置に固視マーク５８Ｄを視認することができる。
【０１４５】
なお、上記実施形態の図１２で説明したように、制御部５７は、被検眼Ｅに対する固視マーク５８Ａ，５８Ｂの投影位置を、一対のＣＣ視標像５３Ａ，５３Ｂの投影位置の変化に追従して変化させる。また、制御部５７は、被検眼Ｅに対する固視マーク５８Ｃ，５８Ｄの投影位置を、一対のＣＣ視標像５３Ｃ，５３Ｄの投影位置の変化に追従して変化させる。
【０１４６】
このように他実施形態２では、±０．５Ｄの乱視度数に対応した一対のＣＣ視標像５３Ａ，５３Ｂ及び固視マーク５８Ａ，５８Ｂと、±０．２５Ｄの乱視度数に対応した一対のＣＣ視標像５３Ｃ，５３Ｄ及び固視マーク５８Ｃ，５８Ｄと、を同時に被検眼Ｅに投影することができる。このため、検者は、被検者に対して±０．５Ｄの乱視度数に対応した一対のＣＣ視標像５３Ａ，５３Ｂ（固視マーク５８Ａ，５８Ｂ：「１」、「２」）の見え方の比較と、±０．２５Ｄの乱視度数に対応した一対のＣＣ視標像５３Ｃ，５３Ｄ（固視マーク５８Ｃ，５８Ｄ：「Ａ」、「Ｂ」）の見え方の比較と、を選択的に行わせることができる。
【０１４７】
従って、乱視度数が異なる２種類のプリズム付きＣＣレンズ４９を視標光束Ｌ０の光路上に選択的に挿入する切替機構を設ける必要がなくなるので、検眼装置１００の構成が簡略化される。その結果、検眼装置１００の低コスト化、小型化、及び軽量化等が図れる。
【０１４８】
また、プリズム付きＣＣレンズ９０によって、視標光束Ｌ０を乱視軸角度が９０°異なる一対の光束群Ｌ１Ｇ，Ｌ２Ｇと一対の光束群ＬＡＧ，ＬＢＧとに分割することができる。このため、プリズム付きＣＣレンズ９０が被検眼Ｅの瞳孔と共役な位置に設けられ且つ被検眼Ｅの瞳孔の一部に特異エリアＤＡ（図８参照）が発生している場合でも、一対の光束群Ｌ１Ｇ，Ｌ２Ｇ及び一対の光束群ＬＡＧ，ＬＢＧの各々は同様に特異エリアＤＡの影響を受ける。その結果、上記実施形態と同様に、プリズム付きＣＣレンズ９０を被検眼Ｅの瞳孔と共役な位置に設けた場合であっても、特異エリアＤＡの影響を同様に受けるため、精度の良い検眼を行うことができる。
【０１４９】
なお、他実施形態２では、視標光束Ｌ０を２組の一対の光束群（一対の光束群Ｌ１Ｇ，Ｌ２Ｇ及び一対の光束群ＬＡＧ，ＬＢＧ）に分割しているが、複数の第１ＣＣレンズ（第１光学特性領域）及び複数の第２ＣＣレンズ（第２光学特性領域）の組み合わせを複数組有するようにプリズム付きＣＣレンズを形成することにより、視標光束Ｌ０を３組以上の複数組の光束群（６以上の偶数の光束群）に分割してもよい。これにより、複数種類の乱視度数に対応した検眼を行うことができる。
【０１５０】
また、既述の他実施形態１（図１４から図１６参照）で説明したように、他実施形態２のプリズム付きＣＣレンズ９０の入出射面のいずれか一方に、ＣＣレンズとプリズムとを複合した複数種類の複合光学系を形成してもよい。
【０１５１】
［その他］
上記実施形態では、既述の図７に示したように、各第１ＣＣレンズ１５０Ａ及び各第２ＣＣレンズ１５０Ｂが市松模様状に配置されているが、双方がＣＣレンズ１５０の面内においてそれぞれ均等に配置されていれば、双方の配置パターンは特に限定はされない。例えば、各第１ＣＣレンズ１５０Ａ及び各第２ＣＣレンズ１５０Ｂが六角細密配置或いは放射線状配置等の各種パターンで配置されていてもよい。また、既述の図１６に示した他実施形態１（各第１複合光学系１６０Ａ及び各第２複合光学系１６０Ｂ）と、既述の図１７に示した他実施形態２（各第１ＣＣレンズ１９０Ａ１、各第２ＣＣレンズ１９０Ｂ１、各第１ＣＣレンズ１９０Ａ２、及び各第２ＣＣレンズ１９０Ｂ２）とについても同様に、各種パターンで配置されていてもよい。
【０１５２】
上記実施形態では、本発明の検眼装置として検眼装置１００を例に挙げて説明を行ったが、少なくともＣＣテストを行う各種検眼装置に本発明を適用することができる。
【符号の説明】
【０１５３】
１…測定及び検眼光学系，
６…視標光投影光学系，
７…ＣＣ視標光投影光学系，
４９，８０，９０…プリズム付きＣＣレンズ，
５３…ＣＣ視標像，
５３Ａ，５３Ｂ…一対のＣＣ視標像，
５３Ｃ，５３Ｄ…一対のＣＣ視標像，
５７…制御部，
５８Ａ，５８Ｂ…固視マーク，
５８Ｃ，５８Ｄ…固視マーク，
１００…検眼装置，
１０４…コントローラ，
１５０…ＣＣレンズ，
１５０Ａ，１９０Ａ１，１９０Ａ２…第１ＣＣレンズ，
１５０Ｂ，１９０Ｂ１，１９０Ｂ２…第２ＣＣレンズ，
１５１Ａ，１５１Ｂ，１９１Ａ１，１９１Ｂ１，１９１Ａ２，１９１Ｂ２…プリズム，
１６０Ａ…第１複合光学系，
１６０Ｂ…第２複合光学系，
Ｌ１，ＬＡ…第１光束，
Ｌ２，ＬＢ…第２光束，
Ｌ１Ｇ，ＬＡＧ…第１光束群，
Ｌ２Ｇ，ＬＢＧ…第２光束群
【図１】
2019055144.tif 000003
【図２】
2019055144.tif 000004
【図３】
2019055144.tif 000005
【図４】
2019055144.tif 000006
【図５】
2019055144.tif 000007
【図６】
2019055144.tif 000008
【図７】
2019055144.tif 000009
【図８】
2019055144.tif 000010
【図９】
2019055144.tif 000011
【図１０】
2019055144.tif 000012
【図１１】
2019055144.tif 000013
【図１２】
2019055144.tif 000014
【図１３】
2019055144.tif 000015
【図１４】
2019055144.tif 000016
【図１５】
2019055144.tif 000017
【図１６】
2019055144.tif 000018
【図１７】
2019055144.tif 000019
【図１８】
2019055144.tif 000020
【図１９】
2019055144.tif 000021
【図２０】
2019055144.tif 000022